Podtech/llm-jp-corpus-v4-ja_patent huggingface dataset:
(57)【要約】【課題】本発明の目的は磁石効果を広範囲に及ぼすことができる気泡シート体を提供する。【解決手段】キャップＣ成形用の吸引キャビティを多数個凹設した真空成形ロールを利用して突状のキャップＣを複数成形したキャップシートＣｓに平坦なベースシートＢｓを貼り合わせてなり、未固定で自由に移動できる磁石Ｍを備えたキャップＣが分布することを特徴とする。また、磁石Ｍが自由に磁極性の向きを変えることができる。【選択図】図１
2014131832.tif 000002
【特許請求の範囲】
【請求項１】
キャップ（Ｃ）成形用の吸引キャビティを多数個凹設した真空成形ロールを利用して突状の前記キャップ（Ｃ）を複数成形したキャップシート（Ｃｓ）に、平坦なベースシート（Ｂｓ）を貼り合わせてなり、フリーな磁石（Ｍ）を備えた前記キャップ（Ｃ）が分布することを特徴とする気泡シート体。
【請求項２】
請求項１に記載の気泡シート体を素材として備えたことを特徴とする物。
【発明の詳細な説明】
【技術分野】
【０００１】
本発明は気泡シート体に関する。
【背景技術】
【０００２】
従来、気泡シート体が知られる。例えば、特許第４２６０１７２号公報に記載の技術は、ロール本体の外周面にキャップ成形用の吸引キャビティを多数個凹設した真空成形ロールを利用して突状のキャップを複数成形したキャップシートに、ベースシートを貼り合わせてなる。
【先行技術文献】
【特許文献】
【０００３】
【特許文献１】特許第４２６０１７２号公報
【発明の概要】
【発明が解決しようとする課題】
【０００４】
ところで、従来の気泡シート体は、磁石効果を広範囲に及ぼすことができる発明に到っていない。
【０００５】
そこで、本発明の目的は、磁石効果を広範囲に及ぼすことができる気泡シート体を提供することにある。
【課題を解決するための手段】
【０００６】
上記課題を解決するため本発明の気泡シート体は、キャップ（Ｃ）成形用の吸引キャビティを多数個凹設した真空成形ロールを利用して突状の前記キャップ（Ｃ）を複数成形したキャップシート（Ｃｓ）に、平坦なベースシート（Ｂｓ）を貼り合わせてなり、フリーな磁石（Ｍ）を備えた前記キャップ（Ｃ）が分布することを特徴とする。
【発明の効果】
【０００７】
本発明によれば、気泡シート体は、磁石（Ｍ）を備えたキャップ（Ｃ）が分布しているため、磁石効果を広範囲に及ぼすことができる。
【図面の簡単な説明】
【０００８】
【図１】気泡シート体の断面図である。
【発明を実施するための形態】
【０００９】
以下、本発明の実施の形態について詳細に説明する。
【００１０】
図１は気泡シート体の断面図である。気泡シート体１はキャップＣ成形用の吸引キャビティを多数個凹設した真空成形ロールを利用して突状のキャップＣを複数成形したキャップシートＣｓに、平坦なベースシートＢｓを貼り合わせてなり、未固定で自由に移動できる磁石Ｍを備えたキャップＣが分布する。
【００１１】
また、例えば、ベースシートＢｓなどに湿布用の薬や粘着剤などを塗布すると磁気湿布となる。また、磁気湿布に限らず他の物の素材として利用してもよく、例えば、各キャップＣの外側にコイルを巻くと圧電素子を用いた発電床と同等の効果を及ぼす発電材となる。発電材はキャップ（Ｃ）に対して磁石Ｍが磁極性の向きを自由に変えることができない形状とすると整流器などの必要がなくなる。図１では磁石Ｍが自由に磁極性の向きを変えることができ、磁極性を意識することなく磁石製品にくっつけることができる。
【図１】
2014131832.tif 000003
(57)【要約】【課題】  従来のライトペンはお尻の部分にライトが付いた為、暗闇のところは文字が書けなくなる。そして、ボタン電池が入る為その分芯（通常芯より）が半分短くなってすぐインクが無くなって使えなくなる。また、ボタン電池が無くなったら取替えが出来ない。そして、使い捨てが一般的ですので使用者の満足を得ない。【解決手段】  ＬＥＤをペンの先端に取り付けるによって暗闇や夜作業する分野でも効率的に文字を書けるようになり、また蓋をすると懐中電灯に早変わりにして停電や震災時に役に立つ防災グッズとしても使用が可能。芯が通常の芯並びに長い為、長くかける。使い切ったら芯とボタン電池を取り替えればまた、継続的に使えることが出来る。【特許請求の範囲】
【請求項１】
ボールペンの先端にＬＥＤライトが付く機能。
【請求項２】
キャップにレンズが付いて蓋を閉めた時に懐中電灯に変わる機能。
【請求項３】
［図２］７番の外観デザイン。
【発明の詳細な説明】
【技術分野】
【０００１】  本発明は暗闇での書記作業や災害時に懐中電灯として使う便利を図ったペン先端にＬＥＤライトの機能を付けたボールペンに関する。
【背景技術】
【０００２】  従来のライトペンはライトがペンの後に付いているため暗闇でのメモなどが出来ない。また、電池が入るためその分ペンの芯が短くなり、使い捨てとなるのが一般的である。
【発明の概要】
【発明が解決しようとする課題】
【０００３】  以上に述べた従来のライトペンでは・・・ペンの芯が短いし、暗い闇でも書けない。【０００４】  ライトの明るさや電池の寿命も短い為、使い捨てなのが一般的だったため、使用者から色んな不便な声を聞いていた。【０００５】  本発明は、このような従来の構成が有していた問題を解決しようとしているものであり、ペン先端にＬＥＤライトを付け暗闇でも文字を書き、またペンの芯が中軸パイプを貫通した為インクの量も従来の芯より２倍になり、長く使えて芯の取替えを実現した為使い捨てにはならない。
【課題を解決するための手段】
【０００６】  ボールペンの芯がＬＥＤ、中軸パイプの中央部を貫通する特集設計でペン芯の長さを実現する同時に取替えも実現する。【０００７】  ボールペンの先端部分にＬＥＤライトを付けたため、暗闇でも文字を書ける。またＬＥＤですので長寿命でエコにもなる。
【発明の効果】
【０００８】  上述したように本発明のＬＥＤ機能付きボールペンは、人間工学的に設計された綺麗なデザイン、そしてボールペンとしての機能にペン先のＬＥＤの光により、暗いところでも文字を書けることが出来る。【０００９】  災害時などいざっとした時に懐中電灯早変わりして使用も可能となる。１日２０分で約半年位の使用ができる。
【図面の簡単な説明】
【００１０】
【図１】▲１▼ボールペン先端部分にＬＥＤライトチップの取り付け。▲２▼スイッチのラバーＯＮ／ＯＦＦ。▲３▼ＬＥＤやパイプを貫通した芯。▲４▼芯の取替えやボタン電池の入れ方。
【図２】５はＬＥＤが設計されたペン先端部分。６はキャップにレンズ機能が付いた蓋。
【発明を実施するための形態】
【００１１】  以下、本発明の実施の形態を［図１］▲１▼〜▲４▼、［図２］５〜７に基づいて説明する。
【００１２】  ［図１］
▲１▼ボールペン先端部分にＬＥＤライトチップを取り付けるによって暗いところでも文字を書ける。▲２▼ラバースイッチによってライトの点け、消しを簡単にする。▲３▼インク芯を長持ちする為にＬＥＤや中軸パイプを貫通する。▲４▼ボタン電池と芯を取り替えて長く使うように実現。
［図２］
５ペン先をＬＥＤと透明ダイオード加工により明るくペン先を照らす。
６キャップにレンズ機能を付けてキャップを閉めた時に懐中電灯に早変わりする。
【図１】
2014131860.tif 000002
【図２】
2014131860.tif 000003
(57)【要約】【課題】この発明は、液体石鹸容器使用時におけるポンプ部分の上下作動時に液が垂れるのを防止するために、ポンプ部分の下に、シャンプーハット状の傘を付け、液が垂れるのを防止した液体石鹸容器の液垂防止器具を提供する。【解決手段】ポンプ部分の下に、シャンプーハット状の傘を付け、液が垂れるのを防止した。さらに、傘と容器との間に、円状のゴム製パッキンを設け、液漏れを防いだ。環境負荷低減のため、材料は１リットルペットボトルを切断して利用した。廃品利用である。以上を特徴とする。【選択図】図１
2014131923.tif 000002
【特許請求の範囲】
【請求項１】
ポンプ部分の下に、シャンプーハット状の傘を付け、液が垂れるのを防止した。さらに、傘と容器との間に、円状のゴム製パッキンを設け、液漏れを防いだ。環境負荷低減のため、材料は１リットルペットボトルを切断して利用した。廃品利用である。以上を特徴とする液体石鹸容器の液垂防止器具である。
【発明の詳細な説明】
【技術分野】
【０００１】  この発明は、液体石鹸容器使用時におけるポンプ部分の上下作動時に液が垂れるのを防止するために、ポンプ部分の下に、シャンプーハット状の傘を付け、液が垂れるのを防止したものである。
【技術背景】
【０００２】  従来は、液が垂れるのを防止するための液体石鹸容器はなかった。
【発明の概要】
【発明が解決しようとする課題】
【０００３】液体石鹸容器使用時、ポンプ部分の上下作動時に液が下に垂れ、容器を置く床面を液体石鹸水が覆い、手のみならず床を洗う必要があった。本発明は、この課題を解決するためになされたものである。
【課題を解決するための手段】
【０００４】ポンプ部分の下に、シャンプーハット状の傘を付け、液が垂れるのを防止した。さらに、傘と容器との間に、円状のゴム製パッキンを設け、液漏れを防いだ。環境負荷低減のため、材料は１リットルペットボトルを切断して利用した。廃品利用である。
【発明の効果】
【０００５】液体石鹸水が、床に垂れなくなった。これは、シャンプーハット状の傘が液体石鹸水が受け止めたからである。
【図面の簡単な説明】
【０００６】
【図１】  本発明の正面図及び斜め図である。
【図２】  本発明の使用状態を示す断面図である。
【発明を実施するための形態】
【０００７】以下、本発明の実子の形態について説明する。
（イ）．液体石鹸水受け皿は、ポンプ部分の下に、シャンプーハット状の傘を付け、液が垂れるのを防止した。さらに、傘と容器との間に、円状のゴム製パッキンを設け、液漏れを防いだ。環境負荷低減のため、材料は１リットルペットボトルを切断して利用した。廃品利用である。
【符号の説明】
【０００８】  １  液体石鹸水受け皿
２  パッキン
【図１】
2014131923.tif 000003
【図２】
2014131923.tif 000004
(57)【要約】【課題】各種の工事で使用される結束バンドに関し、使い勝手が良く管理が容易な工具を提供する。【解決手段】円筒形の筒に底板１ａを設け、各種サイズの結束バンドに合わせた位置に挿入窓を設け、その窓に各種の結束バンドを収納する。また硬性結束バンド携帯袋１が逆さまになっても落下しないよう落下防止輪ゴム６を設ける。硬性結束バンド携帯袋１、の上部には吊下げ穴１ｇを設け、吊り環４などで吊下げられる。またホース状の筒に軟性底板２ａを設け、各種サイズの結束バンドに合わせた位置に挿入窓を設け、その窓に各種の結束バンドを収納する。また軟性結束バンド携帯袋２の上部には軟性吊下げ穴２ｇを設け吊り環４などで吊下げられる。【選択図】図１
2014131921.tif 000002
【特許請求の範囲】
【請求項１】
円筒形の筒に硬性底板１ａを設け、その筒の中間に複数の窓を設け、その窓に結束バンドなど帯状の物を収納できる形状となっている硬性結束バンド携帯袋１。材質はプラスチック類や金属類などの硬性物質。
【請求項２】
ホース状の筒に軟性底板２ａを設け、その筒の中間に複数の窓を設け、その窓に結束バンドなど帯状の物を収納できる形状となっている軟性結束バンド携帯袋２。材質は布、ゴム、ビニール、シリコンなどの軟性物質。
【発明の詳細な説明】
【技術分野】
【０００１】この発明は、結束バンドの携帯に関する物である。
【背景技術】
【０００２】従来、結束バンドは袋入りで販売されているが、使用する時にはその袋から必要なだけ取出して使用する。
【発明の概要】
【発明が解決しようとする課題】
【０００３】従来の技術で、結束バンドは購入した時に入っている袋のまま必要なだけ取り出して使用するが、取り出すのに面倒であり携帯するのにも袋のままでは雑然としてしまう。長さのサイズも１００ミリ、１５０ミリ、２００ミリ、２５０ミリ、３００ミリなどがあり各種サイズの物を管理するのは面倒であり、また使い残りの物の保管管理なども面倒である。
【課題を解決するための手段】
【０００４】以上の課題を解決するために、第一発明は、一つの袋に各種サイズの結束バンドを収納することにより携帯が容易にでき、取出しも簡単で素早くできるようにする。
【発明の効果】
【０００５】第一発明によれば、各種サイズの結束バンドの携帯が容易であり、取出しも簡単で素早くでき、結束バンドを必要な分だけ硬性結束バンド携帯袋１、または軟性結束バンド携帯袋２に入れておくため、購入時に入っている袋の残り物管理も容易である。硬性結束バンド携帯袋１の各結束バンド挿入窓には落下防止輪ゴム６を設け硬性結束バンド携帯袋１が逆さまになっても収納した結束バンドは落下しない。また携帯しない屋内作業であっても使用でき作業性の向上につながる。
【図面の簡単な説明】
【０００６】
【図１】結束バンドを収納した状態の硬性結束バンド携帯袋１の斜視画像
【図２】硬性結束バンド携帯袋１の斜視画像
【図３】結束バンドを収納した状態の軟性結束バンド携帯袋２の正面画像
【図４】硬性結束バンド携帯袋１の側面断面図
【図５】各種の結束バンドの画像
【発明を実施するための形態】
【０００７】この発明の一実施形態を、図４に示す。円筒形の筒に硬性底板１ａを設け、各種サイズの結束バンドに合わせた位置に挿入窓を設け、その窓に各種の結束バンドを収納する。また硬性結束バンド携帯袋１が逆さまになっても収納した結束バンドが落下しないよう落下防止輪ゴム６を設ける。硬性結束バンド携帯袋１の上部には硬性吊下げ穴１ｇを設け吊り環４などで吊下げられる。
【０００８】また図３に示す、ホース状の筒に軟性底板２ａを設け、各種サイズの結束バンドに合わせた位置に挿入窓を設け、その窓に各種の結束バンドを収納する。また軟性結束バンド携帯袋２の上部には軟性吊下げ穴２ｇを設け吊り環４などで吊下げられる。
【符号の説明】
【０００９】１硬性結束バンド携帯袋    １ａ硬性底板    １ｂ硬性１００ミリ用挿入窓
１ｃ硬性１５０ミリ用挿入窓    １ｄ硬性２００ミリ用挿入窓
１ｅ硬性２５０ミリ用挿入窓    １ｆ硬性３００ミリ挿入窓    １ｇ硬性吊下げ穴
２軟性結束バンド携帯袋    ２ａ軟性底板    ２ｂ軟性１００ミリ用挿入窓
２ｃ軟性１５０ミリ用挿入窓    ２ｄ軟性２００ミリ用挿入窓
２ｅ軟性２５０ミリ用挿入窓    ２ｆ軟性３００ミリ挿入窓    ２ｇ軟性吊下げ穴
３ａ１００ミリ結束バンド    ３ｂ１５０ミリ結束バンド    ３ｃ２００ミリ結束バンド
３ｄ２５０ミリ結束バンド    ３ｅ３００ミリ結束バンド    ４吊り環    ５スケール
６落下防止輪ゴム
【図１】
2014131921.tif 000003
【図２】
2014131921.tif 000004
【図３】
2014131921.tif 000005
【図４】
2014131921.tif 000006
【図５】
2014131921.tif 000007
(57)【要約】【課題】ペットボトル等に安定保持させるとともに注入効率のよい漏斗を提供する。【解決手段】上部を開放し下部に通過口を有する主部を設け、該主部下部に、その上面に排気孔を有し内面に雌ねじを刻設した螺着部を設けたことを特徴とする。【選択図】図８
2014131922.tif 000002
【特許請求の範囲】
【請求項１】
上部を開放し下部に通過口を有する主部を設け、該主部下部に、その上面に排気孔を有し内面に雌ねじを刻設した螺着部を設けたことを特徴とする螺着型漏斗。
【請求項２】
主部と螺着部上面間に支板を設けてなる請求項１記載の螺着型漏斗。
【請求項３】
主部内面上部に環状段部を設けてなる請求項１または２記載の螺着型漏斗。
【請求項４】
主部内に装着可能なる網体を設け、該網体を主部に付加してなる請求項３記載の螺着型漏斗。
【発明の詳細な説明】
【技術分野】
【０００１】  この発明は、ペットボトル等に螺着して用いる漏斗に関する。
【背景技術】
【０００２】  従来より、漏斗は液体の移し替えなどに多用されているが、移し替えようとする容器に螺着して用いる螺着型の漏斗は見あたらない。
【発明の概要】
【発明が解決しようとする課題】
【０００３】  従来より漏斗は主に液体の移し替え用として用いられている。一般的には、上部開放の略中空半球体形状の上部に連続してその下部を絞って細筒状に一体形成したものであり、この筒部分を移し替えようとする容器の口に差し込み、漏斗の上から液体を注ぎ込んで用いている。注入しようとする容器がびんやペットボトルの場合には、漏斗の筒部分はびん等の上部内径より小であるために、漏斗位置が安定しない。筒部分をテーパ形状として、この筒部分側面に細溝を設けて、この溝を空気抜き部分としたものもあるが、その通気量は多くはなく、注入効率に問題があった。
本発明は以上に鑑み、漏斗の安定保持と注入効率の問題を解決する新規かつ有用なる手段を提供することを目的として発明されたものである。
【課題を解決するための手段】
【０００４】  課題を解決する手段として本発明は以下の構成とした。
すなわち、上部を開放し下部に通過口を有する主部を設け、該主部下部に、その上面に排気孔を有し内面に雌ねじを刻設した螺着部を設ける。
本発明は以上の構成よりなる螺着型漏斗である。
【発明の効果】
【０００５】  本発明は以下の効果を有する。
１．びんやペットボトルの口部分雄ねじに螺着させて用いるので、漏斗を安定保持させて  用いることができる。
２．排気孔を設けたので、流入容器内の空気排出をスムースに行うことができて、注入効  率を向上させることができる。
３．主部内面に環状段部を設けることにて、この段部を利用して網体を保持することによ  り、注入液体の濾過等を行うことができる。
【図面の簡単な説明】
【０００６】
【図１】  本発明の平面図
【図２】  本発明の正面図
【図３】  本発明の底面図
【図４】  Ａ−Ａ拡大断面図
【図５】  本発明の網体平面図
【図６】  本発明の網体正面図
【図７】  本発明の構造説明図（装着状態）
【図８】  本発明の使用説明図
【発明を実施するための最良の形態】
【０００７】  以下、本発明の実施形態について説明する。
図において、１は主部で、上部開放の中空湾曲体である。その上部は筒形で、この筒形下方は中空半球状となり、さらに一段絞られて下方に延びる通過口２を有している。なお、筒形下部内面には環状段部３が設けられる。主部の下方通過口のさらに下方には、該通過口と一体に螺着部４が形成される。この螺着部は、筒状部の内面に雌ねじ５が刻設され、その上部は水平に内方に伸びて前記通過口と一体となっている。この水平部分には円弧状孔による排気孔６が三等配に設けられる。７は支板で、前記の排気孔位置を除く螺着部上面と主部下部との間に主部と一体に三等配に設けられる板状部分である。
１０は補助環体で、前記環状段部上に載置される。１１は網体で、環状の鍔部に取り付けられる細メッシュの略半球状金網である。この網体は図７のように、環状段部に載置された補助環体上に鍔部が位置して載置される。
以上が本発明の一実施形態である。【０００８】  本発明を使用するには、まず注入しようとする容器の口を開けて置き、その口部分雄ねじに本品の雌ねじを螺着する。次に、移し替えようとする容器を傾けて漏斗上に斜方に位置させると、容器内の液体は漏斗内に落下する。落下した漏斗内の液体は通過口を通過して載置容器内に移行する。この移行した液体容積と同一容積の容器内空気はその添加圧力にて排気孔より外部に放出される。従って、従来ありがちであった漏斗の不安定性を解除しつつ能率的に注入することができる。また、通過口は排気孔より所定距離下方に位置し、注入液体の排気孔からのもれを防止することができる。
また、本発明では金網の付加使用ができる。これは前記したように、主部内面に環状段部を設け、この環状段部上に補助環体を位置させ、この補助環体上に金網を載置する方式である。これにより、注入液体の固形不純物の金網による捕集にて除去することができる。
あるいは、茶葉等を金網内に入れて、茶の抽出にも利用することができる。【０００９】  以上、本発明について記したが、本発明は口金部分への螺着を可能とし、かつ、排気孔を設けたところにその特徴を有し、注入効率向上と漏斗の安定保持の双方を可能としたものである。従来品は既述のように、注入効率と漏斗の安定保持に難があったが、本発明にてこれらの課題が解決できるものとなったのである。
なお、補助環体は環状段部幅は漏斗形状構成上幅狭であるために、補助環体を用いて段部幅を広げて、金網載置をし易くしたものである。さらに、支板により全体形状の強化を図っている。なお、既述の例は実施の一例であり、近似の他の構成としてもよい。
以上のごとく、本発明によって漏斗の安定保持と注入効率向上の双方に寄与しうる新規なる漏斗を得ることができる。
【符号の説明】
【００１０】  １    主部
２    通過口
３    環状段部
４    螺着部
５    雌ねじ
６    排気孔
７    支板
１０  補助環体
１１  網体
【図１】
2014131922.tif 000003
【図２】
2014131922.tif 000004
【図３】
2014131922.tif 000005
【図４】
2014131922.tif 000006
【図５】
2014131922.tif 000007
【図６】
2014131922.tif 000008
【図７】
2014131922.tif 000009
【図８】
2014131922.tif 000010
(57)【要約】      （修正有）【課題】パンクしない、故に空気圧を使用しない車輪を提供する。【解決手段】空気圧の役目は、緩衝材と、分布荷重の２つの役割がある。そのため空気圧を使わない車輪は、集中荷重となる。集中荷重は、重心が１点で、分布荷重は、重心が分散するから、移動には、分布荷重が有利だという原理となる。故に、パンクをしないようにするには空気を使わないことであり、かつ車輪を分布荷重にする方法は、車輪を、外輪と内輪に分割しかつ緩衝材を挟み込むことである。【選択図】図１
2014101106.tif 000002
【特許請求の範囲】
【請求項１】
車輪を外輪と内輪に分割した車輪。
【請求項２】
空気圧を使用せず、分布荷重を考慮した車輪。
【発明の詳細な説明】
【発明の詳細な説明】
【０００１】車輪を外輪と内輪に分割して、空気圧を使用しない構造とする。
【技術分野】
【０００２】外輪と内輪の間に、緩衝材をはさみ込む。
【背景技術】
【０００３】タイヤ車輪は、パンクする欠点がある。それを克服する目的である。
【特許文献】出願（申請）番号  特願２０１２−１７４４０６
【背景技術】
【０００４】タイヤに空気圧を使用する。
【発明が解決しようとする課題】
【０００５】空気圧を用いないで、パンクのない車輪を創る。
【課題を解決するための手段】
【０００６】空気圧に相当する構造の車輪を創る。
【発明の効果】
【０００７】パンク事故や、パンクによる予定の変更がない。
スペアタイヤが不用になる。
【発明を実施するための形態】
【０００８】パンクしないという車輌の安心運転ができる。
【産業上の利用可能性】
【０００９】本発明は、一般自動車に、利用できる。【００１０】本発明は、飛行機車輪に、利用できる。【００１１】本発明は、自転車に、利用できる。【００１２】本発明は、単車に、利用できる。
【図面の簡単な説明】
【００１３】
【図１】自動車用車輪の断面図
【図２】自動車用車輪の側面図
【図３】自転車用車輪の断面図
【図４】自転車用車輪の側面図
【図５】ラチェット部の詳細図
【符号の説明】
【００１４】１  タイヤ            １０  緩衝材ロール
２  外リム            １１  アクスル
３  外歯              １２  ベアリング
４  緩衝材            １３  スペーサ
５  内歯              １４  ラチェット爪
６  内リム            １５  内ラチェット
７  ディスク          １６  スクレーパ
８  外ラチェット      １７  水抜穴
９  リテーナ          １８  スポーク
【図１】
2014101106.tif 000003
【図２】
2014101106.tif 000004
【図３】
2014101106.tif 000005
【図４】
2014101106.tif 000006
【図５】
2014101106.tif 000007
(57)【要約】      （修正有）【課題】液体のりの出る量を制御し、薄く均一に塗れるようにすることで、糊の使用量を抑え、事務経費の節減を図れる中蓋を提供する。【解決手段】中蓋に直径１．６ミリの穴を開けた物を装着して使う。【選択図】図１
2014101148.tif 000002
【特許請求の範囲】
【請求項１】
液体のり専用の交換式中蓋であり、のりの出る量を低減させる。
【発明の詳細な説明】
【発明の詳細な説明】
【技術分野】
【０００１】  この発明は、液体のりの交換用中蓋である。
【背景技術】
【０００２】  これまでの中蓋は、中の糊が固まらない様にする為の物であった。
【発明が解決しようとする課題】
【０００３】  従来の事務のりには次の様な課題があった。
（イ）量が出すぎてしまい、上手く塗れない。
（ロ）塗布量が多いと短時間で乾かない。
（ハ）最近はテープのりが主流になっているが単価が高く、使える量は少ない。
【課題を解決する為の手段】
【０００４】  以上の課題を解決する為に、最も単価の安い「アラビックヤマト」に糊の出を制御出来る中蓋を装着して使う。
【発明を実施するための形態】
【０００５】  直径１．６ｍｍの穴を開けた中蓋を装着して使う。
【発明の効果】
【０００６】  糊の出る量がこれまでの５０分の１程度に抑えられる為、均一に薄く塗る事が出来、糊の使用量を抑える事で事務経費削減に繋がる。また、最も単価の安いアラビックヤマトと組み合わせる事で、経費節減の効果は大きくなる。
【図面の簡単な説明】
【図１】中蓋の概念図である。
【符号の説明】（１）流量制御穴・直径１．６ｍｍ
【図１】
2014101148.tif 000003
(57)【要約】【課題】網戸を開けて屋外に出るとき、両手に荷物を持ったまま外に出られる。虫の侵入を最小限に抑えるため、手を使わなくても自然に閉まり開放時間を少なくする網戸を提供する。【解決手段】網を外した網戸に押し開きフレーム１をスプリング付き蝶番２で取り付ける。以上からなる網戸である。【選択図】図１
2014101740.tif 000002
【特許請求の範囲】
【請求項１】
押し開きできる網戸
【発明の詳細な説明】
【技術分野】
【０００１】本発明は、従来の網戸に押し開きフレームを設け網戸を押して開けられ、網戸を閉める動作をしなくても網戸が閉まるようにしたものである。
【背景技術】
【０００２】従来は、網戸を開けるときに押して開き自然に閉まる網戸がなかった。
両手がふさがっているとき、網戸を開け難かった。
【発明の開示】
【０００３】
【発明が解決しようとする課題】
【０００４】網戸を開けて屋外に出たときすぐに閉めないと虫が室中に入ってくる。
両手に物を担いで外に出るときに一旦物を下ろしてから網戸を開けるという難点があった。
本発明はこの課題を解消する為になされたものである。
【課題を解消する為の手段】
【０００５】網戸に押し開きフレームを取り付け、手を使わなくても体の一部で押して開くことができるようにした。
押し開きフレームの周りにつばを設け、閉まっているときには隙間から虫が侵入し難いようにした。
また、スプリング付きの蝶番を取り付けることで押し開きフレームが自然と閉まり開放時間が少なくなり、虫が室内に入りにくくなった。
【発明の効果】
【０００６】室内から両手が塞がった状態で網戸を押して開くことで屋外まで行け、屋外に出たとき物を下ろしてから網戸を閉める動作が省けて開放時間が少なくなり、室内に虫が入りにくくなった。
開けるときの音が静かになった。
【発明を実施するための最良の形態】
【０００７】以下、本発明の実施の形態について説明する。
（イ）．本発明は図１の押し開きフレーム１に網５を張り、スプリング入り蝶番２を取り付ける。
（ロ）．押し開きフレーム１の外周につば４を設けて、内側に複数の鍵を取り付ける。
本発明は以上のような構成でできた網戸である。以下、使用法について説明する。
網を外した網戸に屋外から押し開きフレーム１が網戸のフレーム内に填まるように屋外からスプリング付き蝶番２で網戸のフレームに取り付ける。
屋外に出るとき押し開きフレーム１を室内から押すことにで外に開き、押し開きフレーム１から離すとスプリング入り蝶番２の力で押し開きフレーム１が網戸のフレーム内に戻る。
鍵３を出して網戸のフレームに掛けることで強風が吹いても開くことがない。
蝶番の取り付ける位置により開放する方向が変えられる。
【図面の簡単な説明】
【０００８】
【図１】本発明の斜視図である。
【図２】本発明の取り付け図である。
【符号の説明】
【０００９】１  押し開きフレーム
２  スプリング付き蝶番
３  鍵
４  つば
５  網
【図１】
2014101740.tif 000003
【図２】
2014101740.tif 000004
(57)【要約】【課題】    スプリング脱着するための手作業しているためにケガをする恐れあり、クラッチシュー本体を足で踏ん張ってもグラグラして作業に困難である。これを要易にすることができる工具を提供することにある。【解決手段】    クラッチシューからクラッチシュースプリングを取り外す場合において、脱着本体土台にはアジヤストボルトを固定する固定側面板を有し、該アジヤストボルトの先端にはスプリングフックを取り付け、この取り付けにはジョイント鉄板を挟み前記スプリングフックには達磨ナットが取り付けられて前記ジョイント鉄板の穴に入れることによって連結させアジヤストボルトにナットが付けられており、前記スプリングフックには前記クラッチシュースプリングを引掛け前記ナットを回すことによりスプリングフックが引張りクラッチシューから外すことを特徴とするクラッチシュースプリング脱着用工具。【選択図】    図３
2014101963.tif 000002
【特許請求の範囲】
【請求項１】
クラッチシューからクラッチシュースプリングを取り外す場合において、脱着本体土台にはアジヤストボルトを固定する固定側面板を有し、該アジヤストボルトの先端にはスプリングフックを取り付け、この取り付けにはジョイント鉄板を挟み前記スプリングフックには達磨ナットが取り付けられて前記ジョイント鉄板の穴に入れることによって連結させアジヤストボルトにナットが付けられており、前記スプリングフックには前記クラッチシュースプリングを引掛け前記ナットを回すことによりスプリングフックが引張りクラッチシューから外すことを特徴とするクラッチシュースプリング脱着用工具。
【発明の詳細な説明】
【技術分野】
【０００１】
クラッチシュースプリング脱着する工具に関する。
【背景技術】
【０００２】
クラッチシュースプリングを脱着するにはクラッチシュー本体を足で踏みつけてスプリングフックや針金で手で引張って作業していた。
【発明の概要】
【発明が解決しようとする課題】
【０００３】
スプリング脱着するための手作業しているためにケガをする恐れあり、クラッチシュー本体が足で踏ん張ってもグラグラして作業に困難である。これを要易にすることができる工具を提供することにある。
【課題を解決するための手段】
【０００４】
クラッチシューからクラッチシュースプリングを取り外す場合において、脱着本体土台にはアジヤストボルトを固定する固定側面板を有し、該アジヤストボルトの先端にはスプリングフックを取り付け、この取り付けにはジョイント鉄板を挟み前記スプリングフックには達磨ナットが取り付けられて前記ジョイント鉄板の穴に入れることによって連結させアジヤストボルトにナットが付けられており、前記スプリングフックには前記クラッチシュースプリングを引掛け前記ナットを回すことによりスプリングフックが引張りクラッチシューから外すことを特徴とするクラッチシュースプリング脱着用工具。
【発明の効果】
【０００５】
クラッチシュースプリング脱着するのに安全で簡単にでき作業も短時間ですむ。
【図面の簡単な説明】
【０００６】
【図１】クラッチシュースプリング脱着本体土台とネジ穴を上から見た図
【図２】クラッチシュー本体を上から見た図
【図３】クラッチシュースプリング脱着本体土台にクラッチシュー本体を乗せた図
【図４】クラッチシューを固定する左右とめ金具と浮上防止金具とネジ図
【図５】クラッチスプリングを外す要領図
【図６】クラッチスプリングを外した状態図
【図７】ジョイント鉄板からスプリングフックをワンタッチで外す図
【図８】ジョイント鉄板を側面から見た図
【図９】ジョイント鉄板を脱着本体土台に設置した図
【発明を実施するための形態】
【０００７】
１  脱着本体土台1のネジ穴2の上にクラッチシュー本体10を置きその中に左右とめ金具3.1と浮上防止金具3.2と重ねそれぞれのネジ穴3.3と2をネジ3.4止めし固定する。
２  クラッチシュースプリング11にスプリングフック4を引掛ける。
３  スプリングフック4は一端がクラッチシュースプリングに引掛けるためにカギ状
となっており、他端はジョイント鉄板7と連動するよう達磨ナット5を備える。
４  アジヤストボルト6はスプリングフック4を引張る。
５  アジヤストボルト6とスプリングフック4は直接につなぐことできないため
ジョイント鉄板7を介して連動させる。
６  ジョイント鉄板7に穴7.2を空けスプリングフック4の達磨ナット5の装着を
容易にするために溝7.1を設ける。
７  ジョント鉄板7を安定して動かすために固定側面板8でアジヤストボルト6と
固定する。
８  ナット9を回すとアジヤストボルトが引張られる。
９  引張られたアジヤストボルト6に連動してジョイント鉄板7が動き同時に
スプリングフック4も動く。
１０  ジョイント鉄板は脱着本体土台1の上をスライドするよう設置することより
ナット9の回転につられて動くことを防ぐストッパーの役目も負う。
１１  以上の構造によりナット9を回すとアジヤストボルト6ジョイント鉄板7
スプリングフック4が連動し結果クラッチシュースプリング11が引張られ
クラッチシュー穴12に隙間ができる。
１２  クラッチシュー穴12にできた隙間にドライバーなどで差込んでこねる。
１３  引張られクラッチシュースプリング11は容易に外すことできる。
１４  スプリングフック4を別のクラッチシュースプリング11に引掛ける為に        ジョイント鉄板7の溝7.1から簡単に引抜く。
１５  クラッチシュー本体を固定している押え金具の内側のネジを緩め外側のネジは抜きクラッチシュー本体10を回転させで図３の同じようにクラッチシュースプリング11の向くと再びネジ3.4を取り付け締付ける。
１６  スプリングフックでクラッチシュースプリングの数に応じて上記作業を繰り返し全てのスプリングを交換する。
【符号の説明】
【０００８】
１  脱着本体土台
２  ネジ穴
３  3押え金具3.1左右止め金具3.2浮上防止金具
４  スプリングフック
５  達磨ナット
６  アジヤストボルト
７  ジョイント鉄板
８  固定側面板具
９  ナット
１０  クラッチシュー本体
１１  クラッチシュースプリング
１２  クラッチシュー穴
１３  ジョイント鉄板からスプリングフックを脱着するために設け溝7.1
【図１】
2014101963.tif 000003
【図２】
2014101963.tif 000004
【図３】
2014101963.tif 000005
【図４】
2014101963.tif 000006
【図５】
2014101963.tif 000007
【図６】
2014101963.tif 000008
【図７】
2014101963.tif 000009
【図８】
2014101963.tif 000010
【図９】
2014101963.tif 000011
(57)【要約】      （修正有）【課題】火災報知を目的とした爆竹において、確実に連続爆発し、報知効果を発揮する構成を提供する。【解決手段】連発爆竹本体１を不燃性のアルミ箔、又は、不燃性又は難燃性の物質材で包装を行う。その折、導火線4のみを外に出しておく。また、連発爆竹本体１に、不燃性、難燃性、又は耐熱性の塗料を塗布、又は、外包物を用いる、など、の処置を施しても可能である。導火線４のみを着火可能にして、その導火線４により連発爆竹本体１の火薬筒が順次連続爆発を為し、確実な報知効果が得られるものである。【選択図】図１
2014149801.tif 000002
【特許請求の範囲】
【請求項１】
連続爆竹本体を不燃性の物質で包み、導火線が最初に引火を為す形態方法
【発明の詳細な説明】
【技術分野】
【０００１】本発明は火炎を報知する爆竹音に関するものである
【背景技術】
【０００２】火災に関しての報知器機は多くの種類が存在する、然るに、その作動に於いて電気、又は電池などの動力源を必要とするものが、通常の形態である、これは定期的なメンテナンス、が欠かせない大いなる留意欠点がある、また、経済的負担も重荷になる現状がある
【先行技術文献】
【特許文献】
【発明の概要】
【発明が解決しようとする課題】
【０００３】放火、失火、漏電、その他、種々の音無く炎上する火炎を、連発爆竹の爆発音で報知させる事を目指したものである、そして連発爆竹の屋外での使用の場合には火薬の防湿保持が必要条件になる、且つ又、火炎により爆竹に引火させねばならない、然るに、防湿目的の外包材の炎上により、連続爆竹のための導火線より早く火がまわり、連続爆発を為さず、単発の爆発を為し、火炎の報知効果が減衰する欠点が生じる、この欠点を無くし確実な連続爆発を得んとする方法である
【課題を解決するための手段】
【０００４】即ち、爆竹本体に、例えばアルミ箔などの、不燃性又は難燃性の物質材で導火線を外に出して包装を為す、また、爆竹本体に、不燃性、難燃性、又は耐熱性の塗料を塗布、又は、外包物を用いる、など、の処置を施しても可能である
【発明の効果】
【０００５】即ち、連発爆竹に火炎から引火した場合、まず外包材が燃え始める、そして爆竹本体は、前述の種々の対処方法があるが、例えば不燃のアルミ箔で包まれておれば、まず導火線に引火する、そして導火線により本体の火薬筒が順次連続爆発を為し、確実な報知効果が得られるものである、特に夜間の場合は覚睡に連発が必要である
【図面の簡単な説明】
【０００６】
【図１】連発爆竹本体
【図２】アルミ箔で包んだ状態図の１例
【図３】鋼線で吊るした爆竹完成図の１例
【発明を実施するための形態】
【０００７】以下、本発明の形態を図１から図３に基づいて説明する
【０００８】図１はアルミ箔に連発爆竹を包み導火線を出した状態である
図２は防湿保持の為、外包袋に密閉された連発爆竹の状態である
図３は鋼線により目的の場所に吊り下げられた連発爆竹の１例である
【符号の説明】
【０００９】１・・連発爆竹本体    ２・・アルミ箔    ３・・外包袋
４・・爆竹導火線
【図１】
2014149801.tif 000003
【図２】
2014149801.tif 000004
【図３】
2014149801.tif 000005
(57)【要約】      （修正有）【課題】拡張ボードの着脱作業を容易にする拡張ボード固定装置を提供する。【解決手段】マザーボード２０及び固定部品を備える。マザーボード上には、ソケット２２及び２つのピン２４が突設され、固定部品３０は連接部３２と、連接部の両端にそれぞれ設置される固定部３４と、前記ソケットから離れるように連接部から延伸するラッチ部３６と、を備え、固定部には貫通孔３４０がそれぞれ設けられ、固定部の上面には、対向する２つのＬ字状のフック部がそれぞれ設置され、ピンは、貫通孔にそれぞれ挿通され、１つの拡張ボード１０の一端は、ソケットに電気的に接続され、拡張ボードの他端は、ラッチ部に当止され、拡張ボードは、連接部とフック部との間に挟まって、固定される。【選択図】図２
2014149822.tif 000002
【特許請求の範囲】
【請求項１】
マザーボード及び固定部品を備え、拡張ボードを固定する拡張ボード固定装置であって、
前記マザーボード上には、ソケット及び２つのピンが突設され、前記固定部品は、連接部と、前記連接部の両端にそれぞれ設置される固定部と、前記ソケットから離れるように前記連接部から延伸するラッチ部と、を備え、
前記固定部には貫通孔がそれぞれ設けられ、前記固定部の上面には、対向する２つのＬ字状のフック部がそれぞれ設置され、
前記ピンは、前記貫通孔にそれぞれ挿通され、前記拡張ボードの一端は、前記ソケットに電気的に接続され、前記拡張ボードの他端は、前記ラッチ部に当止され、前記拡張ボードは、前記連接部と前記フック部との間に挟まれて、前記マザーボードに固定されることを特徴とする拡張ボード固定装置。
【請求項２】
前記ラッチ部の上面には、前記拡張ボードの前記他端を当止する突出部が突設されていることを特徴とする請求項１に記載の拡張ボード固定装置。
【発明の詳細な説明】
【技術分野】
【０００１】
本発明は、拡張ボード固定装置に関するものである。
【背景技術】
【０００２】
従来の技術において、拡張ボードの一端はマザーボードのソケットに接続され、拡張ボードの他端はネジによってマザーボードに固定される。従って、工具（例えば、ドライバー等）を使用して拡張ボードの着脱作業を行なわなければならないため、この着脱作業は煩雑である。
【発明の概要】
【発明が解決しようとする課題】
【０００３】
本発明の目的は、このような問題を解決し、拡張ボードの着脱作業を容易にする拡張ボード固定装置を提供することである。
【課題を解決するための手段】
【０００４】
上記目的を達成するために、本発明に係る拡張ボード固定装置は、マザーボード及び固定部品を備える。前記マザーボード上には、ソケット及び２つのピンが突設され、前記固定部品は連接部と、前記連接部の両端にそれぞれ設置される固定部と、前記ソケットから離れるように前記連接部から延伸するラッチ部と、を備え、前記固定部には貫通孔がそれぞれ設けられ、前記固定部の上面には、対向する２つのＬ字状のフック部がそれぞれ設置され、前記ピンは、前記貫通孔にそれぞれ挿通され、１つの拡張ボードの一端は、前記ソケットに電気的に接続され、拡張ボードの他端は、前記ラッチ部に当止され、前記拡張ボードは、前記連接部と前記フック部との間に挟まれて、前記マザーボードに固定される。
【発明の効果】
【０００５】
本発明に係る拡張ボード固定装置は、ピンが固定部品の貫通孔に挿通して、マザーボードに固定する。次いで、その連接部及びフック部によって拡張ボードを挟み、この時、ラッチ部は、拡張ボードのソケットから離れるように位置した端を当止するので、拡張ボードの着脱作業が容易である。
【図面の簡単な説明】
【０００６】
【図１】本発明の実施形態に係る拡張ボード固定装置と１つの拡張ボードとの組立斜視図である。
【図２】図１に示す拡張ボード固定装置と拡張ボードとの斜視分解図である。
【発明を実施するための形態】
【０００７】
図１〜図２に示したように、本発明の実施形態に係る拡張ボード固定装置は、拡張ボード１０を固定する際に使用される。拡張ボード固定装置は、マザーボード２０と、固定部品３０と、を備える。
【０００８】
拡張ボードの一端には、マザーボード２０のソケット２２と電気的に接続するための接続部１２が設置されている。
【０００９】
マザーボード２０の一端には、その内部に接続部１２を挿入させるためのソケット２２が設置されている。ソケット２２の開口方向は、マザーボード２０に平行ように向けられる。マザーボード２０において、ソケット２２の開口の前方には、ピン２４が突設している。
【００１０】
固定部品３０は、連接部３２と、連接部３２の両端にそれぞれ設置されている固定部３４と、連接部３２の前側から連接部３２に対して垂直に延出するラッチ部３６と、を備える。各固定部３４には、該固定部３４の上面及び底面を貫通する貫通孔３４０が設けられている。固定部３４の上面には、Ｌ字状を呈し、互いに対向して且つ対角線上に設けられたフック部３４２がそれぞれ設置されている。各フック部３４２は、対応する固定部３４の上面から垂直に延伸する柱体３４４と、柱体３４４の上端からもう１つの固定部３４に向けて垂直に延伸する当止部３４６と、を備える。ラッチ部３６の上面の末端には、突出部３６０が突設されている。
【００１１】
組み立てる際、ピン２４が貫通孔３４０に挿通するように、固定部品３０をマザーボード２０の上面に置く。この時、固定部３４の底面は、マザーボード２０に当接し、ラッチ部３６は、ソケット２２から離れるように位置する。次いで、マザーボード２０に向けてラッチ部３６を押圧し、ラッチ部３６を弾性変形させる。次いで、拡張ボード１０をフック部３４２と連接部３２との間に挿通させて、拡張ボード１０の接続部１２をマザーボード２０のソケット２２に電気的に接続させる。この時、ラッチ部３６を放すと、ラッチ部３６は弾性回復し、突出部３６０は、ソケット２２から離れて位置した拡張ボード１０の端を当止する。このようにして、拡張ボード１０は、連接部３２と当止部３４６との間に挟まれて、マザーボード２０に固定される。
【００１２】
拡張ボード１０をマザーボード２０から取り外す際、マザーボード２０に向けて再びラッチ部３６を押圧し、ラッチ部３６を弾性変形させて、突出部３６０を拡張ボード１０から離脱させて、ソケット２２から離れるように拡張ボード１０を引けば良い。
【符号の説明】
【００１３】
１０  拡張ボード
１２  接続部
２０  マザーボード
２２  ソケット
２４  ピン
３０  固定部品
３２  連接部
３４  固定部
３４０  貫通孔
３４２  フック部
３４４  柱体
３４６  当止部
３６  ラッチ
３６０  突出部
【図１】
2014149822.tif 000003
【図２】
2014149822.tif 000004
(57)【要約】【課題】ケーブルコア１、遮水テープ２ａを縦添え巻きした遮水層２、樹脂シース３を有する遮水ケーブルにおいて、遮水テープ２ａのシワが発生しにくい、遮水機能を向上させた遮水ケーブルを提供する。【解決手段】遮水層２を、１枚の遮水テープ２ａを縦添え巻きで２周に巻くことにより形成する。遮水テープ２ａを２周に巻くことにより、遮水テープが実質的に全周にわたって重なるので、遮水層の周方向の不均一性が解消され、ケーブルに曲げが加えられても遮水テープのシワが発生しにくくなる。したがって遮水テープの亀裂や破れが発生しにくくなり、遮水ケーブルの遮水機能を向上させることができる。【選択図】図１
2014149977.tif 000002
【特許請求の範囲】
【請求項１】
樹脂シースの内側に遮水層を有する遮水ケーブルにおいて、前記遮水層が、１枚の遮水テープを縦添え巻きで２周に巻くことにより形成されていることを特徴とする遮水ケーブル。
【発明の詳細な説明】
【技術分野】
【０００１】
本発明は、樹脂シースの内側に遮水層を有する電力ケーブル、制御ケーブル又は通信ケーブル等の遮水ケーブルに関するものである。
【背景技術】
【０００２】
遮水ケーブルは、図２に示すように、ケーブルコア１の外周に遮水層２を設け、遮水層２の外周に樹脂シース３を設けたものである。遮水層２は、金属箔層とホットメルト接着層を有する遮水テープ２ａを、ホットメルト接着層を外側にしてケーブルコア上に縦添え巻きする（テープの両側縁がケーブルコア長手方向に向くように巻く）ことにより形成されている。遮水テープ２ａは樹脂シース３を被覆するときの熱で樹脂シース３の内面に接着している（特許文献１〜３参照）。
【先行技術文献】
【特許文献】
【０００３】
【特許文献１】特許第３４３３８６３号公報
【特許文献２】特許第４６８０１５９号公報
【特許文献３】特開２００５−３２７５４９号公報
【発明の概要】
【発明が解決しようとする課題】
【０００４】
ケーブル布設時などに遮水ケーブルに曲げを加えると、その曲げの程度によっては遮水テープの金属箔層にシワが発生する。一方、布設されたケーブルは、導体通電や気温変動等によりヒートサイクルが加えられ、膨張・収縮が発生する。遮水テープにシワが発生した状態でケーブルに膨張・収縮が加わると、遮水テープのシワの部分に亀裂や破れが発生し、遮水機能が著しく損なわれる。
【０００５】
本発明の目的は、遮水テープのシワが発生しにくい、遮水機能を向上させた遮水ケーブルを提供することにある。
【課題を解決するための手段】
【０００６】
本発明者等は、遮水ケーブルの遮水テープにシワが発生する原因を究明した。その結果、従来の遮水ケーブルは、図２に示すように、遮水層２が、１枚の遮水テープ２ａを、両側縁の重なり部Ｌができるように縦添え巻きすることにより形成されているため、つまり、遮水テープ２ａの重なりが周方向の一部分であるため、ケーブルに曲げが加えられたときに、遮水テープの重なり部Ｌ付近の、重なりのない部分でシワの発生が顕著であることが判明した。
【０００７】
そこで本発明は、樹脂シースの内側に遮水層を有する遮水ケーブルにおいて、前記遮水層が、１枚の遮水テープを縦添え巻きで２周に巻くことにより形成されていることを特徴とするものである。
【発明の効果】
【０００８】
本発明によれば、遮水テープを２周に巻いたことにより、遮水テープが実質的に全周にわたって重なるので、遮水層の周方向の不均一性が解消され、ケーブルに曲げが加えられても遮水テープのシワが発生しにくくなる。したがって遮水テープの亀裂や破れが発生しにくくなり、遮水ケーブルの遮水機能を向上させることができる。
【図面の簡単な説明】
【０００９】
【図１】本発明に係る遮水ケーブルの一実施例を示す断面図。
【図２】従来の遮水ケーブルを示す断面図。
【発明を実施するための形態】
【実施例】
【００１０】
図１は本発明に係る遮水ケーブルの一実施例を示す。図において、１はケーブルコア、２は遮水層、２ａは金属箔層とホットメルト接着層を有する遮水テープ、３は樹脂シースである。この遮水ケーブルの特徴は、遮水層２が、１枚の遮水テープ２ａを縦添え巻きで２周に巻くことにより形成されていることである。このようにすると、遮水テープ２ａの重なりが全周にわたってほぼ均一になるので、ケーブルに曲げが加えられても遮水テープ２ａにシワが発生しにくくなる。
【００１１】
次に、本発明に係る遮水ケーブルと従来の遮水ケーブルの試作・試験結果を説明する。
（ａ）直径2.6mmの軟銅線を同心円状に撚り合わせて撚線とし、これを直径12.0mmに圧縮成形してケーブル導体を製造した。
（ｂ）このケーブル導体上に、内部半導電層（厚さ約1.0mm）、架橋ポリエチレン絶縁層（内部導電層を含め厚さ4.0mm）、及び外部半導電層（厚さ約0.7mm）を同心円状に３層同時押出により被覆した。次いで外部半導電層の上に、厚さ約0.1mmの軟銅テープを約1/6重ねにて、らせん状に重ね巻きした。さらにこの軟銅テープ巻き層の上に半導電性テープをらせん状に重ね巻きした。これがケーブルコアである。
（ｃ）次に、このケーブルコア上に、遮水テープを縦添え巻きで２周巻きになるように、ケーブルコアと遮水テープ間に空隙がないように、かつ、遮水テープの両側端の間隔ができるだけ小さくなるようにフォーミングした。この上にポリ塩化ビニルシース（厚さ約2.1mm）を同心円状に押出被覆して、遮水電力ケーブルを製造した。このケーブルを本発明品という。
（ｄ）一方、上記と同じケーブルコア上に、遮水テープを両側縁の重なり部Ｌ（図２参照）が約20mmとなるように縦添え巻きし、その上に上記と同様にポリ塩化ビニルシースを押出被覆して、遮水電力ケーブルを試作した。このケーブルを従来品という。
（ｅ）本発明品と従来品について、自己径に対する曲げ径の倍率が８倍、６倍、５倍の曲げを加えた後、ケーブルを解体して遮水テープに目視で確認できるシワが発生しているか否かを観察した。その結果を表１に示す。
【００１２】
【表１】
2014149977.tif 000003
【００１３】
この結果によれば、本発明品は従来品よりも曲げが加えられたときに遮水テープにシワが発生しにくいことが分かる。これは、本発明品は従来品よりも遮水テープに亀裂や破れが発生しにくく、遮水機能が向上していることを意味する。
【符号の説明】
【００１４】
１：ケーブルコア
２：遮水層
２ａ：遮水テープ
３：樹脂シース
Ｌ：重なり部
【図１】
2014149977.tif 000004
【図２】
2014149977.tif 000005